【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
所定の記録媒体に記録された映像データの再生を制御する再生制御装置であって、
前記映像データの再生を所定の第１の時間を単位としてスキップさせるための指示入力を受ける指示入力受付手段と、
前記映像データから所定の第２の時間毎に抽出される中間映像の表示残量を示す中間映像表示残量を前記指示入力に基づいて更新する中間映像表示残量管理手段と、
現在再生が行われている現在表示位置を前記中間映像表示残量に基づいて更新する現在表示位置管理手段と
を具備することを特徴とする再生制御装置。
【請求項２】
前記現在表示位置管理手段は、前記中間映像表示残量が所定の閾値を超えた際には前記中間映像表示残量に対応する位置から所定の固定残量に対応する位置だけ前になるように前記現在表示位置を更新させることを特徴とする請求項１記載の再生制御装置。
【請求項３】
前記中間映像表示残量管理手段は、
前記中間映像表示残量を保持する中間映像表示残量保持手段と、
前記指示入力が受け付けられる毎に前記第１の時間に基づいて前記中間映像表示残量を増加させる一方で前記中間映像が表示される毎に前記中間映像表示残量を減少させる中間映像表示残量更新手段と
を備えることを特徴とする請求項１記載の再生制御装置。
【請求項４】
前記中間映像表示残量保持手段に保持される前記中間映像表示残量は、回数を基準とすることを特徴とする請求項２記載の再生制御装置。
【請求項５】
前記中間映像表示残量保持手段に保持される前記中間映像表示残量は、時間を基準とすることを特徴とする請求項２記載の再生制御装置。
【請求項６】
前記現在表示位置管理手段は、
前記現在表示位置を保持する現在表示位置保持手段と、
前記映像データの通常再生時には再生位置に応じて前記現在表示位置を更新する一方で前記スキップ時には前記第１の時間ずつ前記現在表示位置を更新する中間表示位置更新手段とを備え、
前記中間表示位置更新手段は、前記スキップ時に前記中間映像表示残量が所定の閾値を超えたときには前記中間映像表示残量から前記固定残量を差し引いた値に対応して現在表示位置を更新する中間表示位置更新手段と
を具備することを特徴とする請求項１記載の再生制御装置。
【請求項７】
前記現在表示位置保持手段に保持される前記現在表示位置は、時間を基準とすることを特徴とする請求項５記載の再生制御装置。
【請求項８】
前記指示受付手段は、前記指示入力を連続して受け付けている期間にはその期間の長さに略比例して前記中間映像表示残量を増加させる
ことを特徴とする請求項１記載の再生制御装置。
【請求項９】
所定の記録媒体に記録された映像データを再生する再生装置であって、
前記映像データを再生する再生手段と、
前記再生手段による前記映像データの再生を所定の第１の時間を単位としてスキップさせるための指示入力を受け付ける指示入力受付手段と、
前記映像データから所定の第２の時間毎に抽出される中間映像の表示残量を示す中間映像表示残量を前記指示入力に基づいて更新する中間映像表示残量管理手段と、
前記再生手段によって再生が行われている現在表示位置を前記中間映像表示残量に基づいて更新する現在表示位置管理手段とを具備することを特徴とする再生装置。
【請求項１０】
所定の記録媒体に記録された映像データの再生を制御する再生制御方法であって、
前記映像データの再生を所定の第１の時間を単位としてスキップさせるための指示入力を受ける手順と、
前記映像データから所定の第２の時間毎に抽出される中間映像の表示残量を示す中間映像表示残量を前記指示入力に基づいて更新する手順と、
現在再生が行われている現在表示位置を前記中間映像表示残量に基づいて更新する手順と
を具備することを特徴とする再生制御方法。
【請求項１１】
所定の記録媒体に記録された映像データを再生する際に前記映像データの再生を所定の第１の時間を単位としてスキップさせるための指示入力を受ける手順と、
前記映像データから所定の第２の時間毎に抽出される中間映像の表示残量を示す中間映像表示残量を前記指示入力に基づいて更新する手順と、
現在再生が行われている現在表示位置を前記中間映像表示残量に基づいて更新する手順と
をコンピュータに実行させることを特徴とするプログラム。
【手続補正２】
【補正対象書類名】明細書
【補正対象項目名】００１２
【補正方法】変更
【補正の内容】
【００１２】
本発明は、上記課題を解決するためになされたものであり、その第１の側面は、所定の記録媒体に記録された映像データの再生を制御する再生制御装置であって、上記映像データの再生を所定の第１の時間を単位としてスキップさせるための指示入力を受ける指示入力受付手段と、上記映像データから所定の第２の時間毎に抽出される中間映像の表示残量を示す中間映像表示残量を上記指示入力に基づいて更新する中間映像表示残量管理手段と、現在再生が行われている現在表示位置を上記中間映像表示残量に基づいて更新する現在表示位置管理手段とを具備することを特徴とする再生制御装置である。また、上記現在表示位置管理手段は、上記中間映像表示残量が所定の閾値を超えた際には上記中間映像表示残量に対応する位置から所定の固定残量に対応する位置だけ前になるように上記現在表示位置を更新させてもよい。これにより、速やかに所望の映像を表示させるという作用をもたらす。また、その後、中間映像が表示されることになるので、スキップ処理が行われていることをユーザに認識させることができるという作用をもたらす。
【手続補正３】
【補正対象書類名】明細書
【補正対象項目名】００１６
【補正方法】変更
【補正の内容】
【００１６】
また、本発明の第２の側面は、所定の記録媒体に記録された映像データを再生する再生装置であって、上記映像データを再生する再生手段と、上記再生手段による上記映像データの再生を所定の第１の時間を単位としてスキップさせるための指示入力を受け付ける指示入力受付手段と、上記映像データから所定の第２の時間毎に抽出される中間映像の表示残量を示す中間映像表示残量を上記指示入力に基づいて更新する中間映像表示残量管理手段と、上記再生手段によって再生が行われている現在表示位置を上記中間映像表示残量に基づいて更新する現在表示位置管理手段とを具備することを特徴とする再生装置である。また、上記現在表示位置管理手段は、上記中間映像表示残量が所定の閾値を超えた際には上記中間映像表示残量に対応する位置から所定の固定残量に対応する位置だけ前になるように上記現在表示位置を更新させてもよい。これにより、速やかに所望の映像を表示させるという作用をもたらす。また、その後、中間映像が表示されるので、スキップ処理が行われていることをユーザに認識させることができるという作用をもたらす。
【手続補正４】
【補正対象書類名】明細書
【補正対象項目名】００１７
【補正方法】変更
【補正の内容】
【００１７】
また、本発明の第３の側面は、所定の記録媒体に記録された映像データの再生を制御する再生制御方法であって、上記映像データの再生を所定の第１の時間を単位としてスキップさせるための指示入力を受ける手順と、上記映像データから所定の第２の時間毎に抽出される中間映像の表示残量を示す中間映像表示残量を上記指示入力に基づいて更新する手順と、現在再生が行われている現在表示位置を上記中間映像表示残量に基づいて更新する手順とを具備することを特徴とする再生制御方法である。また、この再生制御方法は、上記中間映像表示残量が所定の閾値を超えた際には上記中間映像表示残量に対応する位置から所定の固定残量に対応する位置だけ前になるように上記現在表示位置を更新させる手順をさらに具備してもよい。これにより、速やかに所望の映像を表示させるという作用をもたらす。また、その後、中間映像が表示されることになるので、スキップ処理が行われていることをユーザに認識させることができるという作用をもたらす。
【手続補正５】
【補正対象書類名】明細書
【補正対象項目名】００１８
【補正方法】変更
【補正の内容】
【００１８】
また、本発明の第４の側面は、所定の記録媒体に記録された映像データを再生する際に上記映像データの再生を所定の第１の時間を単位としてスキップさせるための指示入力を受ける手順と、上記映像データから所定の第２の時間毎に抽出される中間映像の表示残量を示す中間映像表示残量を上記指示入力に基づいて更新する手順と、現在再生が行われている現在表示位置を上記中間映像表示残量に基づいて更新する手順とをコンピュータに実行させることを特徴とするプログラムである。また、このプログラムは、上記中間映像表示残量が所定の閾値を超えた際には上記中間映像表示残量に対応する位置から所定の固定残量に対応する位置だけ前になるように上記現在表示位置を更新させる手順をさらにコンピュータに実行させてもよい。これにより、速やかに所望の映像を表示させるという作用をもたらす。また、その後、中間映像が表示されるので、スキップ処理が行われていることをユーザに認識させることができるという作用をもたらす。
【手続補正６】
【補正対象書類名】明細書
【補正対象項目名】０１００
【補正方法】変更
【補正の内容】
【０１００】
また、請求項３において、中間映像表示残量更新手段は、中間映像表示残量更新部６２１に対応する。また、中間映像表示残量保持手段は、中間映像表示残量カウンタ６２２に対応する。
【手続補正７】
【補正対象書類名】明細書
【補正対象項目名】０１０１
【補正方法】変更
【補正の内容】
【０１０１】
また、請求項６において、中間表示位置更新手段は、現在表示位置更新部６３３に対応する。また、現在表示位置保持手段は、現在表示位置カウンタ６３４に対応する。
【手続補正８】
【補正対象書類名】明細書
【補正対象項目名】０１０２
【補正方法】変更
【補正の内容】
【０１０２】
また、請求項９において、再生手段は、例えば、ＭＰＥＧデコーダ５３５に対応する。また、指示入力受付手段は、例えば、指示入力受付部６１０に対応する。また、中間映像表示残量処理手段は、例えば、中間映像表示残量管理部６２０が対応する。また、現在表示位置処理手段は、例えば、現在表示位置管理部６３０に対応する。